(57)【要約】 【課題】  ストローを袋容器内に内蔵させ内容液を数回に分けて吸飲する場合に、途中での液漏れを防ぎ、そのストローを再使用が可能になるように埃等が付着することを防ぐリシールが可能であるストロー内蔵リシール容器を提供する【解決手段】  ストロー２の先端のストロー吸い口部１２を収容することが可能なストロー吸い口部収容部８と内容液を収容可能な袋本体部１１とを有していて、ストロー２を先端がストロー吸い口部収容部８内にあってストロー２の下端部１９が袋本体部の底部２４近傍に達している状態で収納して内蔵している袋容器を備え、ストロー吸い口部収容部と袋本体部とは互いの連通が遮断されていてストローを通してのみ連通しており、ストローはリシール可能なリシール構造２２を有しかつストローはリシール構造部よりも下端部寄りの部分２０で袋容器に固着されていることを特徴とする【選択図】  図１
2006213346.tif 000002
【特許請求の範囲】
【請求項１】
ストローの先端のストロー吸い口部を収容することが可能なストロー吸い口部収容部と内容液を収容可能な袋本体部とを有していて、前記ストローを上端部が前記ストロー吸い口部収容部内にあって下端部が前記袋本体部の底部近傍に達している状態で収納して内蔵している袋容器を備え、前記ストロー吸い口部収容部と前記袋本体部とは互いの連通が遮断されていて前記ストローを通してのみ連通しており、前記ストローはリシール可能なリシール部を有しかつ前記ストローは前記リシール部よりも前記下端部寄りの部分で前記袋容器に固着されていることを特徴とするストロー内蔵リシール容器
【請求項２】
前記袋容器の前記ストロー吸い口部収容部は切り裂いて開封可能な開封部を有し、または前記袋本体部との間を完全に切り離してもしくは連結部を残して切り離して開封する開封部を有することを特徴とする請求項１記載のストロー内蔵リシール容器
【請求項３】
前記ストローは直管状ストロー、途中に蛇腹状部分を有するストローまたはポップアップストローであり、前記リシール部は前記ストローの前記上端部の吸い口部にキャップを装着して構成し、または前記ストローのキンク部分の折れ曲がりによって構成したことを特徴とする請求項１記載のストロー内蔵リシール容器
【請求項４】
前記キンク部分の変位の経路に沿って前記袋容器の壁に前記壁と前記キンク部分との干渉を低下させる切り欠き部を形成したことを特徴とする請求項３記載のストロー内蔵リシール容器
【発明の詳細な説明】
【技術分野】
【０００１】
この発明は袋容器（パウチ容器）にジュースなどの内容液を充填した場合に、その袋容器から内容液を吸飲するためのストローを内蔵した袋容器におけるリシール技術に関するものである。
【背景技術】
【０００２】
従来、ヒートシール性を有する樹脂製フィルムやこれらに金属の蒸着を施したフィルム、あるいは紙やアルミニウム箔等の金属箔などの積層体を用いた包袋に内溶液を吸飲するためのストローを設けた吸飲具付き袋容器が多種提案され、実際に上市されている。これらの多くはストローの端部の飲み口部がむき出しであり、輸送中や保管中あるいは店頭での販売中に埃等が付着したり、人の手が触れたりするのを完全に防止することが困難であった。そこでこの点を改良すべく工夫されたいくつかの提案が先になされている。しかしこれらの改良された技術をもってしても、飲料用袋容器として見た場合、それらは端部の飲み口部に内容液が付着したり、比較的高粘度で絞り出し適性を有する内容品に限定されるなどの問題点を有している。
【０００３】
【特許文献１】特開平８−３３７２５５号
【特許文献２】特開平１０−３０５８５０号
【特許文献３】特開平１１−１３０１５３号
【特許文献４】特開平１１−１５２１５２号
【特許文献５】特開平１１−２６３３５４号
【特許文献６】特開２０００−２８９７６３号  特許文献１ではストローの途中に蛇腹を設け、その蛇腹の部分でストローを折り曲げた状態で袋容器に内蔵しておき、袋容器を引き裂き開口したときに、その開口からストローを摘み出して内容液を吸飲するものである。ただしストローの上端は開口から突出せず、開口からかなり下に位置しているので、ストローの取り出しが難しい。
【０００４】
特許文献２では、注出具の注出口のリシールを図ったものであるが、この注出具は袋容器の上端に取り付けられている剛性の栓体構造のもので、ストローではないので、内容液の吸飲が難しい。
【０００５】
特許文献３では注出具は内容液に浸漬するストローではなく、袋容器の上端に取り付けられている剛性の栓体構造のものであるので、内容液の吸飲が難しい。
【０００６】
特許文献４では袋容器にストローを内蔵するが、ストローの上端は袋容器から突出していて、この突出部分にリシール可能なキャップが装着されている。したがって突出部分は未開封状態の袋容器には内包されていないので、突出部分が保護されない。
【０００７】
特許文献５では容器に注出具を取り付け、その注出具が容器から突出する先端部を開閉可能な密封室で覆うものである。しかし注出具の先端が容器から突出しないので、吸飲が難しい。またここでは注出具はストローではない。
【０００８】
特許文献６では袋容器にストローを内蔵するが、ストローの上端は初めから袋容器から突出していて、この突出部分にリシール可能なキャップが装着されている。したがってキャップは袋容器に内包されていないので、袋容器によって保護されることはない。
【発明の開示】
【発明が解決しようとする課題】
【０００９】
この発明は上記の如き事情に鑑みてなされたものであって、ストローを袋容器内に内蔵させた場合に、ストローを使用した後に、そのストローの吸い口を再使用が可能になるように液漏れを防いだり、埃等が付着することを防ぐリシールが可能であり、また、ストローが袋容器内の内容液の液面下に沈むことがなく保持することができ、かつストローの端部の吸い口が袋容器から常に突出していて摘み易く、かつ構造が簡単なストロー内蔵リシール容器を提供することを目的とするものである。
【課題を解決するための手段】
【００１０】
この目的に対応して、この発明のストロー内蔵リシール容器は前記ストローの先端のストロー吸い口部を収容することが可能なストロー吸い口部収容部と内容液を収容可能な袋本体部とを有していて、前記ストローを先端が前記ストロー吸い口部収容部内にあってストローの下端部が前記袋本体部の底部近傍に達している状態で収納して内蔵している袋容器を備え、前記ストロー吸い口部収容部と前記袋本体部とは互いの連通が遮断されていて前記ストローを通してのみ連通しており、前記ストローはリシール可能なリシール部を有しかつ前記ストローは前記リシール部よりも前記下端部寄りの部分で前記袋容器に固着されていることを特徴としている。
【発明の効果】
【００１１】
この発明のリシール容器では、ストローが袋容器内に内溶液と共に内蔵されているので、吸飲具を別途に用意する必要がなく、そのストローを用いて直ちに内溶液を吸飲することができる。
袋容器から内溶液を一部分吸い出した後に、残液を一時的に保存しておく場合にはストローをリシールすることができるので、内容液を清潔に保ち、内容液の吹き出しや、漏れ出しを防ぐことができる。ストローのリシールは、単にストローの上端部の吸い口部をキャップで閉じることであり、またはストローの吸い口部の下方部分を一重または二重にキンク折り曲げするだけでよいので、簡単にリシールが可能で構造も簡単である。
【発明を実施するための最良の形態】
【００１２】
以下、この発明の詳細を一実施の形態を示す図面について説明する。
【００１３】
図１から図５において、１ａはストロー内蔵リシール袋容器である。
ストロー内蔵リシール容器１ａはストロー２を袋容器３内に封入して備えている。
袋容器３はヒートシール性を有する樹脂製フィルムやこれらに蒸着を施したフィルム、あるいは紙やアルミニウム箔等の金属箔などの積層体を用いた左右の胴片４、５と底片６を周縁部のヒートシール部７でヒートシールして袋状に構成した容器である。袋容器３はストロー吸い口部収容部８と袋本体部１１とを隣接させて備えている。ストロー吸い口部収容部８はストロー２の先端の吸い口部１２を収容する部分であって、袋容器３の１つの隅角部１３に形成されている。ストロー吸い口部収容部８は周辺部をヒートシール部９によってヒートシールされて中央部に空所１０が形成され、この空所１０内にストロー２の吸い口部１２を収容する。袋本体部１１は周縁部をヒートシール部７でヒートシールして袋状に構成されていて、内容液１４を収容する部分であって、袋容器３に対する内容液１４の未充填の状態では袋容器３の上端部は充填口１５を用意するために未シールの状態になっている。ストロー２は先端の吸い口部１２がストロー吸い口部収容部８内にあってストロー２の下端１９が袋本体部１１の底部２４の近傍に達している状態で袋容器３内に内蔵されている。
【００１４】
袋容器３においてストロー吸い口部収容部８と袋本体部１１は隣り合って配置されているが両者は連通してはいない。ストロー吸い口部収容部８と袋本体部１１との境界部の近傍において、袋本体部１１の上端は図３に示すようにヒートシール部１６によって左胴片４、右胴片５及びストロー２の外面が一体的にヒートシールされ、このヒートシール部１６によって袋本体部１１の上端開口部は閉じられ、ストロー吸い口部収容部８と袋本体部１１との連通は断絶されている。但しストロー吸い口部収容部８と袋本体部１１との両者にわたってストロー２が配置されているので、ストロー２の中空を通してのみストロー吸い口部収容部８と袋本体部１１とは連通していることになる。ストロー２はヒートシール部１６によって袋本体部１１に固着している。
【００１５】
ストロー吸い口部収容部８の基端部はヒートシール部１６の直近の切り裂き部分１７で切り裂くことが可能であり、この切り裂きによってストロー吸い口部収容部８は開封する。この切り裂きはストロー吸い口部収容部８の全幅にわたってストロー吸い口部収容部８を横断して行われ、ストロー吸い口部収容部８は袋本体部１１から完全に切り離されるのでもよいし、または側部に連結部１８を残して切り離して開封するのであってもよい。
【００１６】
切り裂き部分１７には弱め線２１を設けてもよい。この弱め線２１は切り裂き部分１７における切り裂きを容易にするための弱部である。ストロー２の先端の吸い口部１２にはリシール構造２２が採用されている。リシール構造２２は一旦開口したストローの中空部の連通を遮断して内容液１４の流通を途絶させるための構造であり、この図１から図４に示す実施態様では、リシール構造としてストロー２の吸い口部１２に着脱して吸い口部１２を開閉するキャップ２３を備えることにより構成している。ストロー２の吸い口部１２はキャップ２３が嵌合してシールされた状態でストロー吸い口部収容部８内に納まっている。
【００１７】
このように構成されたストロー内蔵リシール容器１ａにおいて、内溶液１４はパッケージング工程において充填口１５から充填され、充填後に充填口１５がヒートシールされて、商品が完成する。
【００１８】
次にこのストロー内蔵リシール容器１ａから需要者が内溶液１４を飲もうとする場合には袋容器３のストロー吸い口部収容部８を切り裂き部分１７から切り離す。これによりストロー２の吸い口部１２がキャップ２３を装着した状態で露出する。この状態でキャップ２３をはずし、内溶液１４を吸飲することができる。飲む操作を途中で止めた場合には、吸い口部１２にキャップ２３を再び嵌合させれば、ストロー２を吸い口部１２でリシールすることができる。
【００１９】
図６から図９はこの発明の他の実施形態に係るストロー内蔵リシール容器１ｂが示されている。このストロー内蔵リシール容器１ｂにおいては、ストロー２として途中に１個のキンク部分３１を有するキンクストローを使用したものであり、リシール構造２２もこのキンク部分３１を利用して構成されている。すなわち、図６に示すように、ストロー２の上端の吸い口部１２及びその下のキンク部分３１がストロー吸い口部収容部８の空所１０内に入っている状態でストロー内蔵リシール容器１ｂが構成されている。キンク部分３１はストロー２が急角度で折れ曲がることによってストロー２の中空部の連通が遮断し、またその折れ曲がりが緩角度に変化したり、直管状に復元することによってストロー２の中空部が連通する部分である。ストロー吸い口部収容部８と袋本体部１１との境界部の近傍において、袋本体部１１の上端は図７に示すようにヒートシール部１６によって左胴片４、右胴片５及びストロー２の外面が一体的にヒートシールされ、このヒートシール部１６によって袋本体部１１の上端開口部は閉じられ、ストロー吸い口部収容部８と袋本体部１１との連通は遮断されている。但しストロー吸い口部収容部８と袋本体部１１とはストロー２の中空部を通してのみ連通されている。ヒートシール部１６の中間部３２は袋本体部１１側に後退しているので、袋本体部１１の上端に窪み３３が形成される。またストロー２はキンク部分３１の下方部分でヒートシール部１６によって袋本体部１１に固着している。このストロー内蔵リシール容器１ｂから内溶液１４を飲もうとする場合には図９に示すように、袋容器３のストロー吸い口部収容部８を引き裂き部分１７から切り離すと、そこにストロー２の先端部がキンク部分３１で折れ曲がって臨んでいる。ストロー２の先端の吸い口部１２は袋本体部１１の窪み３３の縁に当たって押さえられているので、ストロー２のキンク部分３１の折れ曲がった姿勢は保持されてストロー２の連通は遮断しており、袋本体部１１内の内容液１４は流れ出ない。そこで図８に示すようにその吸い口部１２を摘んでキンク部分３１を伸ばしてストロー２を連通させ、内容液１４を吸飲することができる。
【００２０】
リシールする場合は図９に示すように、再びキンク部分３１を折り曲げて吸い口部１２を下向きにして、窪み３３に少し差し込んで姿勢を保つようにする。これにより吸い口部１２をリシールすることができる。
【００２１】
ストロー２としては図１０から図１３に示す他の実施態様のストロー内蔵リシール容器１ｃのように、キンク部分３１を２つ有するストロー（Ｚキンクストロー）の方が、飲むときには２つのキンク部分３１（キンク部分３１ａ、３１ｂ）が伸長して吸い口部１２の突き出し量が大きくて飲む操作が容易になり、またリシールするときには２つのキンク部分３１（キンク部分３１ａ、３１ｂ）でシールし、その姿勢は窪み３３の縁に当接させて保持するので、リシールが一層確実である。このストロー内蔵リシール容器１ｃの構造はストロー２の構造を除いてはストロー内蔵リシール容器１ｂの構造と実質的に同じである。すなわち、図１０に示すように、ストロー２の上端の吸い口部１２及びその下の２つのキンク部分３１ａ、３１ｂがストロー吸い口部収容部８の空所１０内に入っている状態でストロー内蔵リシール容器１ｃが構成されている。ストロー吸い口部収容部８と袋本体部１１との境界部の近傍において、袋本体部１１の上端は図１１に示すようにヒートシール部１６によって左胴片４、右胴片５及びストロー２の外面が一体的にヒートシールされ、このヒートシール部１６によって袋本体部１１の上端開口部は閉じられ、ストロー吸い口部収容部８と袋本体部１１との連通は遮断されている。但しストロー吸い口部収容部８と袋本体部１１とはストロー２の中空部を通してのみ連通されている。またストロー２はキンク部分３１ｂの下方部分でヒートシール部１６によって袋本体部１１に固着している。このストロー内蔵リシール容器１ｃから内溶液１４を飲もうとする場合には図１３に示すように、袋容器３のストロー吸い口部収容部８を引き裂き部分１７から切り離すと、そこにストロー２の先端部がキンク部分３１ａ、３１ｂで折れ曲がって臨んでいる。ストロー２の先端の吸い口部１２は袋本体部１１の窪み３３の縁に当たって押さえられているので、ストロー２のキンク部分３１ａ、３１ｂの折れ曲がった姿勢は保持されてストロー２の連通は遮断しており、袋本体部１１内の内容液１４は流れ出ない。そこで図１２に示すようにその吸い口部１２を摘んで両キンク部分３１ａ、３１ｂを伸ばしてストロー２を連通させ、内容液１４を吸飲することができる。
【００２２】
リシールする場合は図１３に示すように、再び両キンク部分３１ａ、３１ｂを折り曲げ、窪み３３の内面に干渉させて姿勢を保つようにする。これにより吸い口部１２をリシールすることができる。
【００２３】
図１４から図１７にはこの発明の他の実施例に係るストロー内蔵リシール容器１ｄが示されている。このストロー内蔵リシール容器１ｄではストロー２として上端部の近傍に１個のキンク部分３１が設けられており、かつその下方に蛇腹部分３４が設けられているものを使用する。ストロー内蔵リシール容器１ｄは蛇腹部分３４の下方において袋容器３にヒートシール部１６によって固着されている。このストロー内蔵リシール容器１ｄにおいてはリシールを実現させるための構造は先に説明した他の実施例のストロー内蔵リシール容器１ｂと実質上同等である。このストロー内蔵リシール容器１ｄにおいてはストロー２に蛇腹部分３４が設けられているので、長手方向に屈伸可能であり、内容液１４の吸飲操作が容易である。すなわち、図１４に示すように、ストロー２の上端の吸い口部１２及びその下のキンク部分３１及び蛇腹部分３４がストロー吸い口部収容部８の空所１０内に入っている状態でストロー内蔵リシール容器１ｄが構成されている。ストロー吸い口部収容部８と袋本体部１１との境界部の近傍において、袋本体部１１の上端は図１５に示すようにヒートシール部１６によって左胴片４、右胴片５及びストロー２の外面が一体的にヒートシールされ、このヒートシール部１６によって袋本体部１１の上端開口部は閉じられ、ストロー吸い口部収容部８と袋本体部１１との連通は遮断されている。但しストロー吸い口部収容部８と袋本体部１１とはストロー２の中空部を通してのみ連通されている。またストロー２は蛇腹部分３４の下方部分でヒートシール部１６によって袋本体部１１に固着している。このストロー内蔵リシール容器１ｂから内溶液１４を飲もうとする場合には図１７に示すように、袋容器３のストロー吸い口部収容部８を引き裂き部分１７から切り離すと、そこにストロー２の先端部がキンク部分３１で折れ曲がって臨んでいる。ストロー２の先端の吸い口部１２は袋本体部１１の窪み３３の縁に当たって押さえられているので、ストロー２のキンク部分３１の折れ曲がった姿勢は保持されてストロー２の連通は遮断しており、袋本体部１１内の内容液１４は流れ出ない。そこで図１６に示すようにその吸い口部１２を摘んでキンク部分３１を伸ばしてストロー２を連通させ、かつ蛇腹部分３４でストロー２の向きを調節して内容液１４を吸飲することができる。
【００２４】
リシールする場合は図１７に示すように、再びキンク部分３１を折り曲げ吸い口部１２を下向きに折り曲げ、窪み３３に少し差し込んで姿勢を保つようにする。これにより吸い口部１２をリシールすることができる。
【００２５】
図１８から図２１にはＺキンクストローを使用したこの発明の他の実施態様に係るストロー内蔵リシール容器１ｅが示されている。この実施例のストロ内蔵リシール容器１ｅではストロー２の２個のキンク部分３１ａ、３１ｂがストロー２の先端から大きく中央部にかけて形成されている形式のものを用いており、これに対応して、キンク部分３１ａ、３１ｂを収容する空所１０が大きくかつ深く形成され、かつ開封後のストロー２の吸い口部１２を覆って埃等が付着するのを防ぐ手段が講じられている点で他の実施例のストロー内蔵リシール容器１ｂ、１ｃ、１ｄと異なっている。すなわち、図１８、図１９及び図２０において１ｅはストロー内蔵リシール容器である。ストロー内蔵リシール容器１ｅは左右の胴片４、５と底片６とを周縁部７でヒートシールして袋状に構成した袋容器３を有している。袋容器３はストロー吸い口部収容部８と袋本体部１１とを隣り合わせに備えている。ストロー吸い口部収容部８はストロー２の先端の吸い口部１２を収容する部分であって、袋容器３の１つの隅角部１３に形成されている。ストロー吸い口部収容部８は周辺部をヒートシール部９によってヒートシールされて中央部に空所１０が形成され、この空所１０内にストロー２の吸い口部１２を収容する。
【００２６】
袋本体部１１は周縁部をヒートシール部７でヒートシールして袋状に構成されて内容液１４を収容する部分である。
【００２７】
ストロー２は先端の吸い口部１２がストロー吸い口部収容部８内にあってストロー２の下端１９が袋本体部１１の底部２４の近傍に達している状態で袋容器３内に内蔵されている。袋容器３においては図２０に示すように、ヒートシール部７、１６によって左胴片４、右胴片５及びストロー２の外面が一体的にヒートシールされ、このヒートシール部によってストロー吸い口部収容部８と袋本体部１１との連通は遮断され、ストロー吸い口部収容部８と袋本体部１１との両者にわたってストロー２が配置されているので、このストロー２の中空を通してストロー吸い口部収容部８と袋本体部１１とは連通している。
【００２８】
ヒートシール部１６の中間部３２は袋本体部１１側に大きく後退しているので、袋本体部１１の側部に大きな縦長の窪み３３が形成されている。ストロー２は２つのキンク部分３１ａ、３１ｂの下側でヒートシール部１６によって袋容器３に固着している。
【００２９】
縦長の窪み３３はストロー２の中間部を収容してストロー２の動作を許容するための動作室３５を構成するものである。動作室３５の上端ではヒートシール部１６を内側に張り出した形状にしてその張り出した部分がストロー２の動作に対するガイド部３６として機能するように構成する。ストロー２は上端がストロー吸い口部収容部８内にあり、中間部が動作室３５内にあり下端部１９が袋本体部１１内に位置する状態で袋容器３内に内蔵されるストロー２の中間部には２つのキンク部分３１ａ、３１ｂがあり、リシール構造２２はこの２つのキンク部分３１ａ、３１ｂによって構成される。ストロー２の２つのキンク部分３１ａ、３１ｂが急角度で折れ曲がることによってストロー２の中空部の連通が遮断し、またその折れ曲がりが緩角度に変形することによってストロー２の中空部は連通し、ストロー２は内容液１４を流通させることができる。
【００３０】
ストロー吸い口部収容部８は袋本体部１１に対して切り裂き部分１７において切り裂いて窪み３３を開封することができる。切り裂き部分１７はａ点から始まってｂ点に達している。切り裂き部分１７には弱め線２１を設けてもよい。ストロー吸い口部収容部８は袋本体部１１との間を完全に切り離して分離する構造としてもよいし、若しくは連結部１８だけを切り残して、袋本体部１１と連結する構造としてもよい。この実施例のストロー内蔵リシール容器１ｅでは連結部１８が切り残されて袋本体部１１にストロー吸い口部収容部８が連結している構造となっている。連結部１８が切り残される構造の場合は、その連結部１８がヒンジとして機能して、開封後のストロー吸い口部収容部８が連結部１８を中心として回転変位して窪み３３及びそこに露出しているストロー２の先端の吸い口部１２を開閉するための蓋体として機能する。ストロー吸い口部収容部８と袋本体部１１とは切り離しの時の縁部の形状として、切り離し開始点ａの近傍の切り離し部分１７の両側に突起３８、４１が形成され、開封後のストロー吸い口部収容部８が窪み３３を閉じる時には突起３８、突起４１とが係合して、ストロー吸い口部収容部８と袋本体部１１とを仮係止させることができる。袋容器３に対する内容液１４の未充填の状態では、袋容器３の上端部は充填口１５を用意するために未シールの状態になっている。
【００３１】
このように構成されたストロー内蔵リシール容器１ｅにおいて、内溶液１４が充填され、充填口１５がヒートシールされて商品が完成する。
【００３２】
次にこのストロー内蔵リシール容器１ｅから需要者が内溶液１４を飲もうとする場合には、袋容器３のストロー吸い口部収容部８を切り裂き部分１７の弱め線２１に沿って切り裂いた後、ストロー吸い口部収容部８を引っ張る。袋本体部１１とストロー吸い口部収容部８との間は連結部１８で繋がっているので、連結部１８を中心としてストロー吸い口部収容部８が回転して袋本体部１１の窪み３３が開口する。この窪み３３が開口すると、それまでストロー吸い口部収容部８に拘束されていたストロー２が、その拘束から解放されるので、ストロー２の先端を手指で摘んで引き上げることができる。この引き上げによってキンク部分３１ａ、３１ｂの鋭角の曲がりが緩められて、ストロー２はガイド部３６に案内されて伸長し、ストローの中空は連通し、先端の吸い口部１２が窪み３３の上方に引き出され、吸い口部１２と袋本体部１１の内部とがストロー２の中空を通して連通し、吸い口部１２から内容液１４が吸飲可能となる。
【００３３】
途中で吸飲を止めてリシールする場合には、ストロー２の先端を手指で摘んで押し下げると、この押し下げによってキンク部分３１ａ、３１ｂが再び鋭角に曲がり、ストロー２の中空の連通は遮断され、リシールが再現する。ストロー吸い口部収容部８を連結部１８の回りに回転させて、窪み３３を閉じるとストロー２の先端の吸い口部１２が覆われる。このとき、ストロー吸い口部収容部８の突起３８と袋本体部１１の突起４１が係合して、両者が係止する。
【００３４】
ストロー２のキンク部分３１ａ、３１ｂはストロー２が急角度で折れ曲がっている部分であるので、キンク部分以外の円筒状部分に比べると幅が大きくなる。したがってこの部分が窪み３３における袋容器３の狭い間隔で対向している左胴片４、右胴片５の間においては、左胴片４、右胴片５と干渉して変位が円滑に行い難い場合もあり得る。したがって、この場合はキンク部分３１の変位の経路に沿って袋容器３の壁である左胴片４、右胴片５にキンク部分との干渉を避けるための長円形等の適宜の形状の切り欠き部４２を設けるのが良い。また、ストローの吸い口部１２の伸長と押し戻しは、吸い口部１２を指で触れることなく、切り欠き部４２よりもわずかに外方に出たキンク部分３１ａを両側から指で摘み、右上方にスライドさせることにより吸い口部１２が伸長し、左下方にスライドさせると押し戻すことができるので衛生的である。
【００３５】
図２２から図２５にはこの発明の他の実施態様に係るストロー吸い口部収容部内蔵リシール容器１ｆが示されている。このストロー内蔵リシール容器１ｆはストロー吸い口部収容部８の構造がストロー内蔵リシール容器１ｅとは異なっている。すなわち、図２２、図２３、図２４及び図２５において、１ｆはストロー内蔵リシール容器である。ストロー内蔵リシール容器１ｆではストロー吸い口部収容部８の開封を、袋本体部１１からの切り離しではなしに、窓の開設によって行うものである。すなわち、左胴片４には４角形の窓４３を開設するための弱め線４４が４角形の４辺のうちの３辺、例えば左右辺及び下辺に沿って形成される。上辺に相当する部分４５は引き裂きの対象部位ではないので、弱め線４４は形成されない。この弱め線４４には、切り裂きを容易にするためにカットテープを添設してもよい。
【００３６】
ストロー内蔵リシール容器１ｆではストロー２はキンク部分３１ａ、３１ｂにおいて急角度で屈折した状態で袋容器３の窪み３３内に内蔵され、ストロー２の上端の吸い口部１２はストロー吸い口部収容部８内で予定されている窓４３の上方のヒートシール部７の直下に達している。このようなストロー内蔵リシール容器１ｆから内容液８を飲む場合には、弱め線４４を引き裂いて窓４３を開口させる。窓４３の上辺に相当する部分４５は引き裂かれていないので、３辺の引き裂きによって舌片状の扉４６が形成される。この窓４３からストロー２を引き出すと、図２３及び図２５に示すようにストロー２はキンク部分３１ａ、３１ｂが伸長し、ガイド部３６に案内されて吸い口部１２が窓４３から引き出すことが可能になり、これを利用して内溶液１４を吸飲することができる。ストロー２の吸い口部１２をリシールする場合には、図２２に示すように、再びストロー２の外に出ている吸い口部１２を窓４３からストロー吸い口部収容部８内に押し戻すとキンク部分３１ａ、３１ｂが急角度に屈折して、ストロー２はリシールされる。これにより吸い口部１２は袋容器３内に入って左右の胴片４、５に囲まれ、かつ窓４３は扉４６によって閉じられて埃等の進入を防止する。
（まとめ）
以上の説明から明らかな通り、この発明によれば、吸飲用ストローを袋容器に内蔵させた場合に、そのストローのリシールを確実に実現するとともに、構造が簡単であり、そのストローの吸飲口に埃等が付着することを防ぐカバーを設けることができるストロー内蔵リシール容器を得ることができる。
【図面の簡単な説明】
【００３７】
【図１】この発明の第１の実施態様に係るストロー内蔵リシール容器の正面説明図。
【図２】図１におけるＢ部拡大図。
【図３】図２におけるＡ−Ａ部断面拡大説明図。
【図４】袋容器を開封した状態を示す拡大図。
【図５】ストローの飲み口とキャップの関係を示す拡大図。
【図６】キンクストローを用いた場合の袋容器の未開封の状態を示す拡大図。
【図７】図６におけるＡ−Ａ部断面拡大説明図。
【図８】キンクストローを用いた場合の袋容器の開封した状態を示す拡大図。
【図９】キンクストローを用いた場合のストローのリシールの状態を示す拡大図。
【図１０】Ｚキンクストローを用いた場合の袋容器の未開封の状態を示す拡大図。
【図１１】図１０におけるＡ−Ａ部断面拡大説明図。
【図１２】Ｚキンクストローを用いた場合の袋容器の開封した状態を示す拡大図。
【図１３】Ｚキンクストローを用いた場合のストローのリシールの状態を示す拡大図。
【図１４】蛇腹部を持つキンクストローを用いた場合の袋容器の未開封の状態を示す拡大図。
【図１５】図１４におけるＡ−Ａ部断面拡大説明図。
【図１６】蛇腹部を持つキンクストローを用いた場合の袋容器の開封した状態を示す拡大図。
【図１７】蛇腹部を持つキンクストローを用いた場合のストローのリシールの状態を示す拡大図。
【図１８】この発明の他の実施態様に係るストロー内蔵リシール容器の正面説明図。
【図１９】この発明の他の実施態様に係るストロー内蔵リシール容器の側面説明図。
【図２０】図１８におけるＡ−Ａ部断面拡大説明図。
【図２１】キンクストローを用いた場合の袋容器の開封した状態を示す正面部分説明図。
【図２２】この発明のさらに他の実施態様に係るストロー内蔵リシール容器の正面説明図。
【図２３】この発明のさらに他の実施態様に係るストロー内蔵リシール容器の開封した状態の側面説明図。
【図２４】図２２におけるＡ−Ａ部断面拡大説明図。
【図２５】この発明のさらに他の実施態様に係るストロー内蔵リシール容器の開封した状態の側面説明図。
【符号の説明】
【００３８】
１ａ、１ｂ、１ｃ、１ｄ、１ｅ、１ｆ  ストロー内蔵リシール容器
２                                  ストロー
３                                  袋容器
４                                  左胴片
５                                  右胴片
６                                  底片
７                                  ヒートシール部
８                                  ストロー吸い口部収容部
９                                  ヒートシール部
１０                                空所
１１                                袋本体部
１２                                吸い口部
１３                                隅角部
１４                                内容液
１５                                充填口
１６                                ヒートシール部
１７                                切り裂き部分
１８                                連結部
１９                                下端
２１                                弱め線
２２                                リシール構造
２３                                キャップ
２４                                底部
３１ａ、３１ｂ                      キンク部分
３２                                中間部
３３                                窪み
３４                                蛇腹部分
３５                                動作室
３６                                ガイド部
３８                                突起（ストロー吸い口収容部側）
４１                                突起（袋本体部側）
４２                                切り欠き部
４３                                窓
４４                                弱め線
４５                                上辺に相当する部分
４６                                扉
【図１】
2006213346.tif 000003
【図２】
2006213346.tif 000004
【図３】
2006213346.tif 000005
【図４】
2006213346.tif 000006
【図５】
2006213346.tif 000007
【図６】
2006213346.tif 000008
【図７】
2006213346.tif 000009
【図８】
2006213346.tif 000010
【図９】
2006213346.tif 000011
【図１０】
2006213346.tif 000012
【図１１】
2006213346.tif 000013
【図１２】
2006213346.tif 000014
【図１３】
2006213346.tif 000015
【図１４】
2006213346.tif 000016
【図１５】
2006213346.tif 000017
【図１６】
2006213346.tif 000018
【図１７】
2006213346.tif 000019
【図１８】
2006213346.tif 000020
【図１９】
2006213346.tif 000021
【図２０】
2006213346.tif 000022
【図２１】
2006213346.tif 000023
【図２２】
2006213346.tif 000024
【図２３】
2006213346.tif 000025
【図２４】
2006213346.tif 000026
【図２５】
2006213346.tif 000027